(57)【要約】  【課題】  壁等の鉛直平面に簡単かつ確実に取り付けることができ、ゴミ袋内のゴミが重い場合でも変形や破損することなくしかもゴミを散乱させることなくゴミ袋に収容することに役立つゴミ袋保持具を提供すること。【解決手段】      薄板状に形成されており水平方向に伸延しかつその背面１２が壁面２に沿う背板部１１と、この背板部１１と上側端２３が連続して接続されており薄板状で水平方向に伸延しかつその縦断面が前方へ向けて凸となるように湾曲した笠板部２１とからなる袋保持アーム１０を有し、この袋保持アーム１０の水平方向の両端部にそれぞれゴミ袋Ｈの把持部ｈ1を引っ掛け可能な凹み部１５を形成し、当該袋保持アーム１０の背板部１１の伸延方向中央部に壁面２に設けられる固定軸部材５と複数の接点（左右に離れた２つの接点）で摩擦係合して当該袋保持アーム１０を保持する水滴型の止め穴１６を設ける。  【選択図】      図１
2007091389.tif 000002
【特許請求の範囲】
【請求項１】
薄板状に形成されており水平方向に伸延しかつその背面が鉛直平面に沿う背板部と、この背板部と上側端が連続して接続されており薄板状で水平方向に伸延しかつその縦断面が前方へ向けて凸となるように湾曲した笠板部とからなる袋保持アームを有し、
この袋保持アームの水平方向の両端部にそれぞれゴミ袋の把持部を引っ掛け可能な凹み部を形成し、当該袋保持アームの背板部の伸延方向中央部に鉛直平面に設けられた固定軸部材と複数の接点で摩擦係合して当該袋保持アームを保持する水滴型の止め穴を設けたことを特徴とするゴミ袋保持具。  
【発明の詳細な説明】
【技術分野】
【０００１】
本発明は、ショッピング袋等のゴミ袋の保持具に関する。
【背景技術】
【０００２】
スーパーマーケット等で商品（食料品など）を購入すると、当該購入商品をレジで薄い合成樹脂製の袋（ショッピング袋）に入れてくれることが多い。購入者は自宅に帰るとショッピング袋から購入した品物を取り出して冷蔵庫等に収容した後、空になったショッピング袋は例えば台所から出るゴミ（料理の処理屑や廃棄プラ容器，廃棄缶・ビン類等）を収容するゴミ袋として利用されることが多い。
【０００３】
ここで、ゴミ袋をそのまま住居の床等に置いたのでは衛生的にも問題があり見栄えも悪いので、ゴミ袋を保持する保持具が従来から種々提案されている（例えば、特許文献１〜３参照）。
【０００４】
特許文献１に係るゴミ袋保持具は、キッチン家具や洗面家具等の扉体に装着されるゴミ袋の吊り下げ具であって、扉体の前面に垂下する保持板の前面にゴミ袋の把手を掛けることのできる引掛片を上下に一対設けた構成とされている。
【０００５】
特許文献２に係るゴミ袋保持具は、ホルダー本体と、このホルダー本体に一定間隔をおいて設けられ、ショッピング袋の把手部を開いた状態で引っ掛けて吊り下げる一対の吊り掛け部と、机の横板Ｔ等の固定部材に係入してホルダー本体を保持する係止保持とゴミ箱等の縦壁部材に掛け止めする側面視下向きコ字形縦掛け係止部とを備えた構成とされている。これによれば、ショッピング袋を本来の美しい形を保持しながらゴミ袋として再使用することができて資源の再利用を図ることができると記載されている。
【０００６】
特許文献３に係るゴミ袋保持具は、壁面に固定される基体に弾力性を有するアームを両側方へ向けて形成し、各アームの先端部にゴミ袋の上縁一辺両端部を固定するクリップを取り付け、ゴミ袋の上縁一辺を基体に形成した抑制片の後方に抑制保持して、ゴミ袋の上縁他辺を前方へ引っ張ると、アームが撓んでゴミ袋が開口し、手を離すとアームが復元してゴミ袋Ｂが閉じる構成とされている。これによれば、ゴミ袋を壁面に吊り下げて、場所を取らずに多量のゴミを収容できると記載されている。
【０００７】
また、台所の床上にゴミ箱を置いておき、そこにゴミを投入して、当該ゴミ箱が一杯になったらゴミを上記ゴミ袋に移し変えることも考えられる。
【特許文献１】特開２００３−１０４５０３号公報
【特許文献２】特開平９−２９０９０１号公報
【特許文献３】特開２００４−２０３５５４号公報
【発明の開示】
【発明が解決しようとする課題】
【０００８】
ところで、特許文献１に係るゴミ袋保持具では、ゴミ袋にゴミを入れる際には一旦ゴミ袋の片方の把手を外してゴミ袋を開口しなければならず面倒な欠点を有する。
【０００９】
また、特許文献２に係るゴミ袋保持具では、ゴミ箱等の縦壁部材の存在が必要になり使用場所が限られてしまう欠点を有する。
【００１０】
また、特許文献３に係るゴミ袋保持具では、ゴミ袋に重量のあるゴミと収容した場合にはアームが回復不能なほど変形してしまったり破損してしまうおそれがある。また、アーム先端部のクリップのゴミ袋保持力が弱まると、ゴミ袋が落下してしまう欠点を有する。
【００１１】
さらにまた、ゴミ箱から上記ゴミ袋に移し変える方法では、ゴミ箱が台所の床を歩く人の足に引っかかりゴミを周囲に散乱させてしまうことがある。また、ゴミ袋に移しかえるのは煩雑である。
【００１２】
本発明の目的は、一般住宅の台所等で一番設置面積が大きくしかも利用されていないと思われる壁面等の鉛直平面に簡単かつ確実に取り付けることができ、ゴミ袋内のゴミが重い場合でも変形や破損することなくしかもゴミを散乱させることなくゴミ袋に収容することに役立つゴミ袋保持具を提供することにある。
【課題を解決するための手段】
【００１３】
請求項１の発明は、薄板状に形成されており水平方向に伸延しかつその背面が鉛直平面に沿う背板部と、この背板部と上側端が連続して接続されており薄板状で水平方向に伸延しかつその縦断面が前方へ向けて凸となるように湾曲した笠板部とからなる袋保持アームを有し、この袋保持アームの水平方向の両端部にそれぞれゴミ袋の把持部を引っ掛け可能な凹み部を形成し、当該袋保持アームの背板部の伸延方向中央部に鉛直平面に設けられた固定軸部材と複数の接点で摩擦係合して当該袋保持アームを保持する水滴型の止め穴を設けたことを特徴とするゴミ袋保持具である。  
【００１４】
上記構成の請求項１の発明の場合、一般住宅の台所等で一番設置面積が大きくしかも利用されていないと思われる壁面等の鉛直平面を利用して設置することができ、台所等のスペースを有効利用できる。また、袋保持アームの止め穴は、水滴型とされ壁面等の鉛直平面に設けられた固定軸部材と複数の接点（左右に離れた２つの接点）で摩擦係合するので、固定軸部材を支点として振り子運動のような不用意な動きはせず鉛直平面に確実に取り付けることが出来る。なお、ゴミ袋内のゴミの重量が増すほど、上記固定軸部材の止め穴と上記固定軸部材とは複数の接点の圧力が増すので摩擦力も増えることになり、当該袋保持アームは上記固定軸部材を介して鉛直平面に一段と確実に固定されることになる。また、袋保持アームを手で少し持ち上げれば、当該アームの止め穴と固定軸部材との係止は解除されるので、簡単に袋保持アームを鉛直平面から取り外すことができる。
【００１５】
また、袋保持アームは、主に鉛直方向の曲げに強い抵抗力を有する背板部と主に捩じりや前後方向の曲げに強い抵抗力を有する笠板部とからなるので、ゴミ袋内のゴミが重い場合でも変形や破損することなく当該ゴミ袋を保持できる。したがって、ゴミ袋が壁面等の鉛直平面から不用意に落下することがなく、ゴミが散乱してしまう事態が生じない。
【発明の効果】
【００１６】
請求項１の発明によれば、薄板状に形成されており水平方向に伸延しかつその背面が鉛直平面に対向する背板部と、この背板部と上側端が連続して接続されており薄板状で水平方向に伸延しかつその縦断面が前方へ向けて凸となるように湾曲した笠板部とからなる袋保持アームを有し、この袋保持アームの水平方向の両端部にそれぞれゴミ袋の把持部を引っ掛け可能な凹み部を形成し、当該袋保持アームの背板部の伸延方向中央部に鉛直平面に設けられた固定軸部材と複数の接点で摩擦係合して当該袋保持アームを保持する水滴型の止め穴を設けたので、一般住宅の台所等で一番設置面積が大きくしかも利用されていないと思われる壁等の鉛直平面を利用して設置することができ、台所等のスペースを有効利用できる。ゴミ袋内のゴミが重い場合でも変形や破損することなく、しかもゴミを散乱させることなくゴミ袋に収容することに役立つ。
【発明を実施するための最良の形態】
【００１７】
以下、本発明の実施の形態を図面を参照しながら説明する。
【００１８】
本発明に係るゴミ袋保持具１は、図１に示すように、背板部１１と笠板部２１とからなる袋保持アーム１０を有し、この袋保持アーム１０の両端部にそれぞれゴミ袋Ｈの把持部ｈ１を引っ掛け可能な凹み部１５を形成し、当該袋保持アーム１０の背板部１１の伸延方向中央部に水滴型の止め穴１６を設けた構成とされている。なお、図１では、袋保持アーム１０の止め穴１６は図示を省略する。
【００１９】
以下、本ゴミ袋保持具１の各構成要素について詳述する。
【００２０】
まず、背板部１１は、薄板状に形成されており、水平方向に伸延し、かつその背面１２が鉛直平面（壁面２等）に沿うように形成されている。また、背板部１１に設けられる水滴型の止め穴１６は、図６に示すように、その内径部（１７ｄ，１７ｕ）が上方に行くほど内径寸法（ｄ１，ｄ２）が短くなる。このような形状により、背板部１１の止め穴１６の下半分部分１７ｄに壁面２等の鉛直平面に設けられた固定軸部材５〔軸部分６の直径Ｄ，ｄ１<Ｄ<ｄ２〕を嵌入させることができ、当該背板部１１にゴミ袋Ｈ内のゴミＧの重量が掛かることにより、当該背板部１１は下方へ少し変位して当該止め穴１６の上半分部分（１７ｕ）と固定軸部材５とは強い圧力を及ぼしあいながら係合することになる。ここで、背板部１１の止め穴１６の上半分部分（１７ｕ）と固定軸部材５とは、複数の接点（左右に離れた２つの接点）で強い圧力を及ぼしあいながら摩擦係合することになる。したがって、袋保持アーム１０が、ゴミ袋Ｈ内のゴミＧの重さで固定軸部材５を支点として振り子運動しようとしても上記摩擦力によって当該運動は直ちに停止される。この実施形態では、ゴミ袋Ｈとしてはショッピング袋が選定されている。
【００２１】
笠板部２１は、その上側端２３が背板部１１の上側端１３が連続して接続されており、薄板状で水平方向に伸延し、かつその縦断面が図４に示すように前方へ向けて凸となるように湾曲した形状とされている。この実施形態では、背板部１１と笠板部２１とは、薄板状の合成樹脂から一体に形成されている。背板部１１と笠板部２１とを別体として両方の上側端部（１３，２３）を接着剤や溶接等で接合してもよい。なお、背板部１１と笠板部２１とを形成する材料は、外力に対して強い抵抗力を有するものであればよく、例えば金属板で形成してもよい。この実施形態では、袋保持アーム１０の伸延方向（水平方向）長さＬ１は３００ｍｍとされている。また、袋保持アーム１０の鉛直方向長さＬ２は８９ｍｍとされている。
【００２２】
上記背板部１１と上記笠板部２１とからなる袋保持アーム１０の水平方向の両端部には、それぞれゴミ袋Ｈの把持部ｈ１を引っ掛け可能な凹み部１５を形成されている。この袋保持アーム１０の各凹み部１５に、ゴミ袋Ｈの各把持部ｈ１を引っ掛ければ当該ゴミ袋Ｈは口が開いた状態で当該アーム１０に保持されることになる。ここで、袋保持アーム１０の各凹み部１５は、当該アーム１０の他の部位よりも凹んでいるのでゴミ袋Ｈの各把持部ｈ１は外れることはない。この実施形態では、凹み部１５は、図５に示すように、内側壁（１８Ｒ，１８Ｌ）と底部１９とから形成されている。この凹み部１５は、水平方向長さＬ３は４０ｍｍとされている。また、凹み部１５の深さＬ４は１０ｍｍとされている。
【００２３】
上記構成の本ゴミ袋保持具１によれば、一般住宅の台所等で一番設置面積が大きくしかも利用されていないと思われる壁面２等の鉛直平面を利用して設置することができ、台所等のスペースを有効利用できる。
【００２４】
また、袋保持アーム１０の止め穴１６は、水滴型とされ壁面２等の鉛直平面に設けられる固定軸部材５と複数の接点（左右に離れた２つの接点）で摩擦係合するので、固定軸部材５を支点として振り子運動のような不用意な動きはせず鉛直平面（２）に確実に取り付けることが出来る。なお、ゴミ袋Ｈ内のゴミＧの重量が増すほど、上記固定軸部材５の止め穴１６と上記固定軸部材５とは複数の接点の圧力が増すので摩擦力も増えることになり、当該袋保持アーム１０は上記固定軸部材５を介して鉛直平面（２）に一段と確実に固定されることになる。
【００２５】
また、袋保持アーム１０は、主に鉛直方向の曲げに強い抵抗力を有する背板部１１と主に捩じりや前後方向の曲げに強い抵抗力を有する笠板部２１とからなるので、ゴミ袋Ｈ内のゴミＧが重い場合でも変形や破損することなく当該ゴミ袋Ｈを保持できる。したがって、ゴミ袋Ｈが壁面２等の鉛直平面から不用意に落下することがなく、ゴミＧが散乱してしまう事態が生じない。
【００２６】
而して、請求項１の発明は、薄板状に形成されており水平方向に伸延しかつその背面１２が鉛直平面（壁面２等）に沿う背板部１１と、この背板部１１と上側端２３が連続して接続されており薄板状で水平方向に伸延しかつその縦断面が前方へ向けて凸となるように湾曲した笠板部２１とからなる袋保持アーム１０を有し、この袋保持アーム１０の水平方向の両端部にそれぞれゴミ袋Ｈの把持部ｈ１を引っ掛け可能な凹み部１５を形成し、当該袋保持アーム１０の背板部１１の伸延方向中央部に鉛直平面（２）に設けられた固定軸部材５と複数の接点で摩擦係合して当該袋保持アーム１０を保持する水滴型の止め穴１６を設けたので、一般住宅の台所等で一番設置面積が大きくしかも利用されていないと思われる壁面２等の鉛直平面を利用して設置することができ、台所等のスペースを有効利用できる。ゴミ袋Ｈ内のゴミＧが重い場合でも変形や破損することなく、しかもゴミＧを散乱させることなくゴミ袋に収容することに役立つ。
【図面の簡単な説明】
【００２７】
【図１】本発明に係るゴミ袋保持具の全体構成を示す斜視図である。
【図２】本ゴミ袋保持具の背面側を説明するための斜視図である。
【図３】本ゴミ袋保持具の正面図である。
【図４】図３のＸ１-Ｘ１による断面図である。
【図５】図１のＸ２-Ｘ２による断面図である。
【図６】袋保持アームの止め穴を説明するための図である。
【図７】袋保持アームの止め穴と固定軸部材との係止を説明するための縦断面図である。
【図８】本ゴミ袋保持具の使用状況を説明するための図である。
【符号の説明】
【００２８】
２    壁面（鉛直平面）
５    固定軸部材
１０    袋保持アーム
１１    背板部
１２    背面
１３    上側端
１５    凹み部
１６    止め穴
１７    内径部
２１  笠板部
【図１】
2007091389.tif 000003
【図２】
2007091389.tif 000004
【図３】
2007091389.tif 000005
【図４】
2007091389.tif 000006
【図５】
2007091389.tif 000007
【図６】
2007091389.tif 000008
【図７】
2007091389.tif 000009
【図８】
2007091389.tif 000010